(57)【特許請求の範囲】
【請求項１】
上部が開口した袋体と、該袋体の上端より延長し二重に重ね形成された左右一対の把手とからなるポリプロピレン樹脂の不織布製買物袋であって、前記開口部の周縁及び把手の周縁にはポリプロピレン樹脂製の不織布テープがこれら該周縁を覆い重ねそしてポリプロピレン樹脂製の糸にて縫着され補強されていることを特徴とする、ポリプロピレン樹脂製買物袋であって、
前記ポリプロピレン樹脂製買物袋は、長方形をなすポリプロピレン樹脂製の不織布シートを用意し、該不織布シートを一方の短辺部が他方の短辺部に重なるように折畳み、形成された折り目部の一部を切除して前記把手を形成し、次いで、切除された端縁部にポリプロピレン樹脂製の不織布テープを覆い重ね、そしてポリプロピレン樹脂製の糸により縫い付け、これとともに重ねられた左右の長辺部を各々ポリプロピレン樹脂製の糸により縫合し、続いて縫合した該左右の長辺部を、完成した袋体にまちを設ける長さだけ内側に折り込み、前記折り込み部の下端とこれに重なる前記短辺部とを前記糸により縫合して、前記袋体の側部と底部を形成し、そして得られた袋体及び把手を裏返すことにより製造され、そして一対のポリプロピレン樹脂製の結び止め片が前記開口部の周縁に縫着されており、且つ該結び止め片の縁にポリプロピレン樹脂製の不織布テープを覆い重ねさらにポリプロピレン樹脂製の糸により縫い付けてなる、ポリプロピレン樹脂製買物袋。
【請求項２】
上部が開口した袋体と、該袋体の上端より延長し二重に重ね形成された左右一対の把手とからなるポリプロピレン樹脂の不織布製買物袋であって、前記開口部の周縁及び把手の周縁にはポリプロピレン樹脂製の不織布テープがこれら該周縁を覆い重ねそしてポリプロピレン樹脂製の糸にて縫着され補強されていることを特徴とする、ポリプロピレン樹脂製買物袋であって、
前記ポリプロピレン樹脂製買物袋は、長方形をなすポリプロピレン樹脂製の不織布シートを用意し、該不織布シートを一方の短辺部が他方の短辺部に重なるように折畳み、そして重ねられた該短辺部の縁をポリプロピレン樹脂製の糸により縫合し、さらに縫合された短辺部の一部を切除して前記把手を形成し、次いで、切除された端縁部にポリプロピレン樹脂製の不織布テープを覆い重ね、そしてポリプロピレン樹脂製の糸により縫い付け、これ
とともに重ねられた左右の長辺部を各々ポリプロピレン樹脂製の糸により縫合し、続いて縫合した該左右の長辺部を、完成した袋体にまちを設ける長さだけ内側に折り込み、前記折り込み部の下端とこれに重なる前記短辺部とを前記糸により縫合して、前記袋体の側部と底部を形成し、そして得られた袋体及び把手を裏返すことにより製造され、そして一対のポリプロピレン樹脂製の結び止め片が前記開口部の周縁に縫着されており、且つ該結び止め片の縁にポリプロピレン樹脂製の不織布テープを覆い重ねさらにポリプロピレン樹脂製の糸により縫い付けてなる、ポリプロピレン樹脂製買物袋。
【発明の詳細な説明】
【技術分野】
【０００１】
本発明は、購入した商品を持ち返るために使用する買物袋に関する。詳しくは、重い荷物を収納した場合にもより破損しにくく、また軽量かつコンパクトで携帯に適しており、さらにリサイクルに適したポリプロピレン不織布製の買物袋に関する。
【背景技術】
【０００２】
顧客がスーパーマーケット等の小売店で購入した商品を持ち帰る手段として、小売店で無料で配布される樹脂フィルム製買物袋が主として使用されている。そして中でも広範囲に使用されているのは、ポリエチレン（ＰＥ）フィルムから製造された買物袋である。この種の買物袋は、商品を収納して手提げると、商品の荷重により把手が長手方向に延伸して変形したり、また延伸して細くなった把手が手に食い込んで痛みを伴うなど、買物袋として繰り返して使用するには適していないため、殆どの場合において使い捨てである。しかも、樹脂フィルムは石油を原料として製造されるものであるので、樹脂フィルム製買物袋の使い捨ては、石油資源の浪費に繋がり、また、樹脂フィルム製買物袋を焼却により処分すると、ＣＯ2等の有害なガスの発生源となるなど、樹脂フィルム製買物袋の使い捨て
による使用は、環境保全・資源節約の観点からあまり好ましいとは言えない。
そこで最近、小売店では、今まで無料で配布していた買物袋を有料にしたり、或いは、買物袋が必要でない人にはスタンプやクーポン券を提供する等の方法により、顧客自身が買物袋を持参することを推奨している。しかしながら、従来、買物袋として使用されている布製の袋は厚手で嵩張りまた決して軽量ではないため、携帯には適しておらず、さらに異質の材料で出来ているためリサイクルに適しておらず、相当に高価でもあるという不都合があった。それ故、布製の買物袋の持参は、現在に至るまであまり普及していないのが実状である。
そこで、本発明者は、樹脂フィルムに代えて不織布シートから製造され、このため強度があり、しかも軽量かつコンパクトに折り畳むことが可能なため携帯に適するところの、買物袋をすでに提案している（特許文献１）。
【特許文献１】特許第３８７６４０９号公報
【発明の開示】
【発明が解決しようとする課題】
【０００３】
特許文献１に記載の樹脂製買物袋は、一回のみの使い捨てではなく、通常の使用条件で、少なくとも５回、通常は１０回を超える頻度で繰り返して使用できるものに設計されていた。そして、仮に買物袋として使用中に破損が生じた場合には、消費者は買物袋を購入した小売店に返却し、小売店は、返却された買物袋を工場に返送し、そこで回収された袋材料から新品の袋を再生し、これを再利用することにより、リサイクル化が図られるものである。よって、特許文献１に記載の樹脂製買物袋はリサイクルが容易であり、且つ、省資源であり、環境保全の観点からも望ましいものである。
ところで、繰り返して使用できる買物袋は、重い商品或いは嵩張る商品を収納した場合であってもより破損しにくいような強度を有していることが望まれる。特に、商品を収納して手提げたときに、把手及び開口部の周縁は買物袋のうち最も荷重が集中する部分のひとつであるため、より一層補強されていることが望ましい。この点において特許文献１に記載の樹脂製買物袋は、把手自体が二重のシートから構成されているものの、把手及び開口部の周縁部位のより一層の強化まで考慮されたものではない。
そこで本発明は、把手及び開口部がさらに補強されたポリプロピレン不織布製の買物袋の提供を課題とする。
【課題を解決するための手段】
【０００４】
即ち本発明は、
上部が開口した袋体と、該袋体の上端より延長し二重に重ね形成された左右一対の把手とからなるポリプロピレン樹脂の不織布製買物袋であって、前記開口部の周縁及び把手の周縁にはポリプロピレン樹脂製の不織布テープがこれら該周縁を覆い重ねそしてポリプロピレン樹脂製の糸にて縫着され補強されていることを特徴とする、ポリプロピレン樹脂製買物袋に関する。
このうち好ましい態様は、
前記ポリプロピレン樹脂製買物袋は、長方形をなすポリプロピレン樹脂製の不織布シートを用意し、該不織布シートを一方の短辺部が他方の短辺部に重なるように折畳み、形成された折り目部の一部を切除して前記把手を形成し、次いで、切除された端縁部にポリプロピレン樹脂製の不織布テープを覆い重ね、そしてポリプロピレン樹脂製の糸により縫い付け、これとともに重ねられた左右の長辺部を各々ポリプロピレン樹脂製の糸により縫合し、続いて縫合した該左右の長辺部を、完成した袋体にまちを設ける長さだけ内側に折り込み、前記折り込み部の下端とこれに重なる前記短辺部とを前記糸により縫合して、前記袋体の側部と底部を形成し、そして得られた袋体及び把手を裏返すことにより製造されたポリプロピレン樹脂製買物袋であることを特徴とする、上述のポリプロピレン樹脂製買物袋に関する。
また別の好ましい態様は、
前記ポリプロピレン樹脂製買物袋は、長方形をなすポリプロピレン樹脂製の不織布シー
トを用意し、該不織布シートを一方の短辺部が他方の短辺部に重なるように折畳み、そして重ねられた該短辺部の縁をポリプロピレン樹脂製の糸により縫合し、さらに縫合された短辺部の一部を切除して前記把手を形成し、次いで、切除された端縁部にポリプロピレン樹脂製の不織布テープを覆い重ね、そしてポリプロピレン樹脂製の糸により縫い付け、これとともに重ねられた左右の長辺部を各々ポリプロピレン樹脂製の糸により縫合し、続いて縫合した該左右の長辺部を、完成した袋体にまちを設ける長さだけ内側に折り込み、前記折り込み部の下端とこれに重なる前記短辺部とを前記糸により縫合して、前記袋体の側部と底部を形成し、そして得られた袋体及び把手を裏返すことにより製造されたポリプロピレン樹脂製買物袋であることを特徴とする、上述のポリプロピレン樹脂製買物袋に関する。
また本発明のさらに別の態様は、
前記ポリプロピレン樹脂製買物袋は、長方形をなすポリプロピレン樹脂製の不織布シートを用意し、該不織布シートを一方の短辺部が他方の短辺部に重なるように折畳みそして重ねられた左右の長辺部を各々ポリプロピレン樹脂製の糸により縫合して袋体を形成し、またポリプロピレン樹脂製の一対の不織布片を用意し、該一対の不織布片のうち該袋体との結合縁以外の縁にポリプロピレン樹脂製の不織布テープをそれぞれ覆い重ねさらにポリプロピレン樹脂製の糸により縫い付け、次に前記袋体のそれぞれの短辺部の縁にポリプロピレン樹脂製の不織布テープを覆い重ね、さらにポリプロピレン樹脂製の糸により縫い付け、その際、前記一対の不織布片の結合縁を前記袋体の上端にそれぞれ縫着することにより前記把手を形成し、さらに、縫合した前記左右の長辺部を、完成した袋体にまちを設ける長さだけ内側に折り込み、前記折り込み部の下端とこれに重なる前記短辺部とを前記糸により縫合して、前記袋体の側部と底部を形成し、そして得られた袋体及び把手を裏返すことにより製造されたポリプロピレン樹脂製買物袋であることを特徴とする、上述のポリプロピレン樹脂製買物袋に関する。
これらの態様において、さらに好ましいのは、
ポリプロピレン樹脂製の結び止め片が前記開口部の周縁に縫着されており、且つ該結び止め片の縁にポリプロピレン樹脂製の不織布テープを覆い重ねさらにポリプロピレン樹脂製の糸により縫い付けてなる、ポリプロピレン樹脂製買物袋に関する。
また別の好ましい態様は、
ポリプロピレン樹脂製の小物袋が前記開口部の周縁に縫着されており、且つ該小物袋の少なくとも開口周縁にポリプロピレン樹脂製の不織布テープを覆い重ねさらにポリプロピレン樹脂製の糸により縫い付けてなる、ポリプロピレン樹脂製買物袋に関する。
【発明の効果】
【０００５】
本発明のポリプロピレン樹脂製買物袋は、その開口部の周縁及び把手の周縁にポリプロピレン樹脂製の不織布テープが縫着され補強されているため、重い商品或いは嵩張る商品を収納して手提げたときも、把手が縦方向により延伸しにくく、そのため、繰り返し使用により適している。
また本発明の樹脂製買物袋は、袋体、糸及び不織布テープがすべてポリプロピレン樹脂製であるため、リサイクルの際にこれらを分別するという煩わしい作業が省ける。
さらに、本発明の買物袋は軽量であり且つコンパクトに折畳むこともできるため、携帯に非常に適している。
【発明を実施するための最良の形態】
【０００６】
本発明のポリプロピレン樹脂製買物袋は、上部が開口した袋体と、該袋体の上端より延長し二重に重ね形成された左右一対の把手とからなり、そして、開口部の周縁及び把手の周縁にはポリプロピレン樹脂製の不織布テープがポリプロピレン樹脂製の糸にて縫着され補強されている点を特徴とする。さらに、本発明のポリプロピレン樹脂製買物袋は、把手の形成の仕方により以下の３つの態様に分けられる。
【０００７】
そのうちの一つの態様においては、長方形をなす樹脂製の不織布シートを用意し、該不織布シートを一方の短辺部が他方の短辺部に重なるように折畳み、形成された折り目部の一部を切除して把手が形成される。次いで、切除された端縁部にポリプロピレン樹脂製の不織布テープを覆い重ね、そしてポリプロピレン樹脂製の糸により縫い付ける。このとき、ポリプロピレン樹脂製の不織布テープは、もちろんそのまま端縁部に覆い重ねて補強してもよいが、１回以上内側に折り返して覆い重ねることにより、端縁部をより厚くして一層の補強を図ることができる。また、ポリプロピレン樹脂製の不織布テープは、強化の点から端縁部の全周にわたって縫い付けられるとよい。またポリプロピレン樹脂製の不織布テープは、端縁部を補強できるだけの幅及び厚さを有していればよい。ポリプロピレン樹脂製の不織布テープの縫い付けと並行して、重ねられた左右の長辺部を各々ポリプロピレン樹脂製の糸により縫合する。続いて、縫合した左右の長辺部を、袋体にまちを設ける長さだけ内側に折り込み、前記折り込み部の下端とこれに重なる短辺部とを前記糸により縫合して、袋体の左右の側部と底部とを形成する。そしてこうして得られた袋体及び把手を裏返すことにより、本発明のポリプロピレン樹脂製買物袋が得られる。
【０００８】
また、上述の態様と同様に不織布シートの一部を切除して把手を形成するが、把手を折り目部にではなく、縫合された短辺部に形成した点で、上述の態様とは異なるポリプロピレン樹脂製買物袋を挙げることもできる。即ち、長方形をなす樹脂製の不織布シートを用意し、該不織布シートを一方の短辺部が他方の短辺部に重なるように折畳み、そして重ねられた短辺部の縁をポリプロピレン樹脂製の糸により縫合し、さらに縫合された短辺部の一部を切除して把手が形成される。その後、切除された端縁部にポリプロピレン樹脂製の不織布テープを覆い重ね、そしてポリプロピレン樹脂製の糸により縫い付ける。この場合、ポリプロピレン樹脂製の不織布テープの構成及び縫い付け方は、上記の態様と同様である。その後、これとともに重ねられた左右の長辺部を各々ポリプロピレン樹脂製の糸により縫合し、続いて縫合した該左右の長辺部を、完成した袋体にまちを設ける長さだけ内側に折り込み、前記折り込み部の下端とこれに重なる短辺部とを前記糸により縫合して、前記袋体の側部と底部を形成する。その後、得られた袋体及び把手を裏返すことにより、本発明のポリプロピレン樹脂製買物袋が得られる。
【０００９】
本発明の三つめの態様のポリプロピレン樹脂製買物袋においては、上記の二つの態様とは異なり、把手が袋体に縫い付けられて形成する態様のものである。本態様の場合、把手を、例えば他の製品の製造過程で生じた余剰の不織布シートの切れ端などを活用して作る
ことができるという利点を有する。そしてこの態様の樹脂製買物袋は、以下のように作られる。
まず、長方形をなすポリプロピレン樹脂製の不織布シートを用意し、該不織布シートを一方の短辺部が他方の短辺部に重なるように折畳みそして重ねられた左右の長辺部を各々ポリプロピレン樹脂製の糸により縫合して袋体を形成する。またその一方では、ポリプロピレン樹脂製の一対の不織布片を用意し、そして該一対の不織布片のうち該袋体との結合縁以外の縁にポリプロピレン樹脂製の不織布テープをそれぞれ覆い重ねさらにポリプロピレン樹脂製の糸により縫い付けることにより、該一対の不織布片を補強する。次に、仕上げられる袋体の開口部を補強するべく、前記袋体のそれぞれの短辺部の縁にポリプロピレン樹脂製の不織布テープを覆い重ね、さらにポリプロピレン樹脂製の糸により縫い付け、また、前記一対の不織布片の結合縁を袋体の上端にそれぞれ縫着することにより把手が形成される。このとき、一対の不織布片の結合縁は不織布テープとともに縫着されることにより、よりほころびにくくなる。続いて、縫合した前記左右の長辺部を、完成した袋体にまちを設ける長さだけ内側に折り込み、前記折り込み部の下端とこれに重なる短辺部とを前記糸により縫合して、前記袋体の側部と底部を形成し、そして得られた袋体及び把手を裏返すことにより、本発明のポリプロピレン樹脂製買物袋が得られる。
【００１０】
また、本発明のポリプロピレン樹脂製買物袋には、収納した商品が袋の外に飛び出ることを防止するために、開口部の周縁にポリプロピレン樹脂製の結び止め片が縫着された態様をとることもできる。この場合も、結び止め片の縁は、ポリプロピレン樹脂製の不織布テープを覆い重ねさらにポリプロピレン樹脂製の糸により縫い付けることにより、補強される。
さらにまた、本発明のポリプロピレン樹脂製買物袋には、小銭又は駐車券等を収納して出し入れしやすくするために、ポリプロピレン樹脂製の小物袋が袋体の開口部の周縁に縫着された態様をとることもできる。この場合も、小物袋の少なくとも開口周縁には、ポリプロピレン樹脂製の不織布テープを覆い重ねさらにポリプロピレン樹脂製の糸により縫い付けることにより、補強される。
【００１１】
本発明の樹脂製買物袋に用いられる材質はポリプロピレン樹脂である。その利点は、引張り強度及び耐熱温度が高く、ポリエチレン樹脂と比べ引張り応力が加わる条件下で変形、特に熱変形しにくい点にある。
【実施例】
【００１２】
実施例１：
本実施例は、図１ないし図７に示す本発明の一つめの態様のポリプロピレン（ＰＰ）樹脂製買物袋１であって、以下の方法により作られる。
長辺部２がおよそ１００ｃｍであり且つ短辺部３がおよそ４０ｃｍの寸法を有する長方形のＰＰ樹脂製不織布シート４を用意し、短辺部３が他方の短辺部３に重なるように折り畳み（図２参照）、そして形成された折り目部５のほぼ中央及びその両端を切除して把手６を形成した（図３参照）。そして切除された中央及び両端のそれぞれの端縁部７の全体にわたり、幅およそ１．５ｃｍの細長いＰＰ樹脂製不織布テープ８を覆い重ね、そしてＰＰ樹脂製の糸９により縫い付けるとともに、互いに重なり合わされた左右の長辺部２をそれぞれＰＰ樹脂製の糸９により縫合した（図４参照）。このように、袋体の開口部の周縁及び把手の周縁となる端縁部７にＰＰ樹脂製不織布テープ８を覆い重ねそして縫い付けたことにより、引張り強度が上がって補強される。なお、本実施例では、図１のＡ部分の断面図を示す図５に示すように、ＰＰ樹脂製不織布テープ８は、内側に１回折り返して覆い重ねて縫い付けられた。そのため、ＰＰ樹脂製不織布テープ８を折り返さずにそのまま覆い重ねて縫い付けたときよりも、より一層引張り強度が上がっている。また、ＰＰ樹脂製不織布テープ８を縫い付ける際に、長さおよそ９ｃｍ且つ幅およそ４ｃｍの一対の細長のＰＰ樹脂製の結び止め片１０を、開口部１１の周縁１２において一緒に縫い付けた（図４
参照）。このとき、図１のＢ部分の断面図を示す図６に描かれるように、結び止め片１０は、内側に１回折り返して覆い重ねたＰＰ樹脂製不織布テープ８とともに縫い付けられている。続いて、縫合した左右の長辺部２を、完成した袋体１５にまちが設けられるように、図４中のＸ−Ｘ線を軸としておよそ８ｃｍ分だけ内側にそれぞれ折り込み、そしてこの折り込み部１３の下端１４とこれに重なる短辺部３とをＰＰ樹脂製の糸９により縫合することにより、袋体１５の側部１６及び底部１７を形成した（図７参照）。そして、こうして得られた袋体１５及び把手６を裏返すことにより、開口部１１の周縁１２及び把手６の周縁１８がＰＰ樹脂製不織布テープ８が縫着されて補強された、本発明の樹脂製買物袋１を得た。
【００１３】
実施例２：
本実施例は、図８ないし図１２に示すＰＰ樹脂製買物袋１９である。このＰＰ樹脂製買物袋１９は、ＰＰ樹脂製不織布シート２０を一方の短辺部２１が他方の短辺部２１に重なるように折り畳んだ際に、重ねられた短辺部２２において把手２３を形成した点で、上記実施例１のＰＰ樹脂製買物袋１とは異なるものである。
即ち、実施例１と同様のＰＰ樹脂製不織布シート２０を用意し、一方の短辺部２１が他方の短辺部２１に重なるように折り畳み、そしてこれら重ねられた短辺部の縁２４をＰＰ樹脂製の糸２５により縫合し、さらに縫合された短辺部のほぼ中央及びその両端を切除して把手２３を形成した（図９及び図１０参照）。それ以降は実施例１と同様にして、本発明の樹脂製買物袋１９を得た（図１１及び図１２参照）。なお、折り目となる短辺部２６のうち、折り込み部２７の下端２８と重なる箇所をＰＰ樹脂製の糸２５により縫合し、折り込み部２７の下端２８と重なっていない箇所は縫合されていない。また、図８のＣ部分の断面及びＤ部分の断面はそれぞれ、図５及び図６に示した断面図と同様である。
【００１４】
実施例３：
本実施例は図１３ないし図１５に示す本発明の三つめの態様のＰＰ樹脂製買物袋２９である。このＰＰ樹脂製買物袋２９は、実施例１及び２に示されるＰＰ樹脂製買物袋１及び１９とは異なり、把手３０を袋体３１に縫い付けた態様のものである。即ち、本実施例のＰＰ樹脂製買物袋２９を、以下記載するように製造した。
長辺部３２がおよそ８０ｃｍであり且つ短辺部３３がおよそ４０ｃｍの寸法を有する長方形のＰＰ樹脂製不織布シートを用意し、該不織布シートを一方の短辺部３３が他方の短辺部３３に重なるように折畳みそして重ねられた左右の長辺部３２を各々ＰＰ樹脂製の糸３４により縫合して袋体３１を形成した（図１４参照）。また一方で、ＰＰ樹脂製の一対の細長い不織布片（およそ９ｃｍ×３２ｃｍ）３５，３５を用意し、該一対の不織布片３５，３５のうち袋体３１との結合縁３６（より短いほうの縁）以外の縁３７にＰＰ樹脂製の不織布テープ３８をそれぞれ覆い重ねさらにＰＰ樹脂製の糸３４により縫い付けた。次に袋体３１のそれぞれの短辺部の縁３９にＰＰ樹脂製の不織布テープ３８を覆い重ね、さらにＰＰ樹脂製の糸３４により縫い付け、その際に、一対の不織布片３５，３５の結合縁３６を袋体３１の上端４０にそれぞれ縫着することにより把手３０を形成した。また、本実施例のＰＰ樹脂製買物袋２９の開口部４１の周縁４２には、結び止め片１０と同様にＰＰ樹脂製の、ほぼ正方形を有する小物袋４３をＰＰ樹脂製の糸３４で縫着した。なお小物袋４３の開口周縁全体にわたりＰＰ樹脂製の不織布テープを覆い重ねさらにＰＰ樹脂製の糸により縫い付けて、補強した。
さらに、図１４中のＸ−Ｘ線を中心として、縫合した左右の長辺部を、完成した袋体３１にまちを設ける長さだけ内側に折り込み、前記折り込み部４４の下端４５とこれに重なる短辺部３３とを前記糸３４により縫合して、袋体３１の側部４６と底部４７を形成し（図１５参照）、そして得られた袋体３１及び把手３０を裏返すことにより、開口部４１の周縁４２及び把手３０の周縁４８がＰＰ樹脂製不織布テープ３８で縫着されて補強された、本発明の樹脂製買物袋２９を得た。
【図面の簡単な説明】
【００１５】
【図１】実施例１のＰＰ樹脂製買物袋の斜視図である。
【図２】ＰＰ樹脂製不織布シートを折り畳む工程を示す模式図である。
【図３】折り目部の一部を切除して把手を形成する工程を示す模式図である。
【図４】ＰＰ樹脂製不織布テープを縫い付けるとともに、左右の長辺部をそれぞれ縫合する工程を示す模式図である。
【図５】図１中のＡ部分の断面図である。
【図６】図１中のＢ部分の断面図である。
【図７】折り込み部の下端と短辺部とを縫合する工程を示す模式図である。
【図８】実施例２のＰＰ樹脂製買物袋の斜視図である。
【図９】ＰＰ樹脂製不織布シートを折り畳む工程を示す模式図である。
【図１０】重ねられた短辺部の縁を縫合し、さらに折り重ね部の一部を切除して把手を形成する工程を示す模式図である。
【図１１】ＰＰ樹脂製不織布テープを縫い付けるとともに、左右の長辺部をそれぞれ縫合する工程を示す模式図である。
【図１２】折り込み部の下端と折り重なる短辺部とを縫合する工程を示す模式図である。
【図１３】実施例３のＰＰ樹脂製買物袋の斜視図である。
【図１４】袋体に一対の不織布片を縫い付けて把手を形成する工程を示す模式図である。
【図１５】折り込み部の下端とこれに重なる短辺部とを縫合する工程を示す模式図である。
【符号の説明】
【００１６】
１，１９，２９  ＰＰ樹脂製買物袋    ２，３２  長辺部    ３，２１，３３  短辺部  
４，２０  ＰＰ樹脂製不織布シート    ５  折り目部    ６，２３，３０  把手    ７
端縁部    ８，３８  ＰＰ樹脂製不織布テープ    ９，２５，３４  ＰＰ樹脂製の糸  
１０  結び止め片    １１，４１  開口部    １２，４２  開口部の周縁    １３，２７，４４  折り込み部    １４，２８，４５  下端    １５，２５，３１  袋体    １６，４６  側部    １７，４７  底部    １８，４８  把手の周縁    ２２  重ねられた短辺部    ２４  重ねられた短辺部の縁    ２６  折り目となる短辺部    ３５  一対の不織布片    ３６  結合縁    ３７  結合縁以外の縁    ３９  短辺部の縁    ４０  袋体の上端    ４３  小物袋
【図１】
0005510625.tif 000002
【図２】
0005510625.tif 000003
【図３】
0005510625.tif 000004
【図４】
0005510625.tif 000005
【図５】
0005510625.tif 000006
【図６】
0005510625.tif 000007
【図７】
0005510625.tif 000008
【図８】
0005510625.tif 000009
【図９】
0005510625.tif 000010
【図１０】
0005510625.tif 000011
【図１１】
0005510625.tif 000012
【図１２】
0005510625.tif 000013
【図１３】
0005510625.tif 000014
【図１４】
0005510625.tif 000015
【図１５】
0005510625.tif 000016